(57)【要約】【課題】リモコンと誘導加熱調理器の間に食材をいれた食器や調味料の容器、食器などがあってもリモコンから誘導加熱調理器の温度調節ができ、リモコン側の電池の消耗を最小限に抑えたリモコン装置を目的としたものである。【解決手段】リモコン信号で制御されることが可能な誘導加熱調理器本体１と、この誘導加熱調理器本体１の設定温度を遠隔制御するリモコン装置２においてリモコン信号には電波を用い、誘導加熱調理器本体１がリモコン装置２からのリモコン信号を受け取った場合、応答信号を発する誘導加熱調理器。【選択図】  図１
2004165081.tif 000002
【特許請求の範囲】
【請求項１】
電波を用いた信号をリモコン信号として遠隔制御を行うリモコン装置を有し、前記リモコン装置のリモコン信号で設定温度を遠隔制御が可能な誘導加熱調理器であって、前記誘導加熱調理器は、前記リモコン装置からのリモコン信号を受け取ったときに応答信号を発する誘導加熱調理器。
【請求項２】
誘導加熱調理器からの応答信号は可聴音である請求項１に記載の誘導加熱調理器。
【請求項３】
誘導加熱調理器からの応答信号は電波である請求項１に記載の誘導加熱調理器。
【請求項４】
リモコン装置は、誘導加熱調理器からの応答信号の強度を多段階に検知するレベル検知部を有し、前記応答信号強度が十分高いときにはリモコン信号を送信するときの電波放射電力を小さくする請求項２または３に記載の誘導加熱調理器。
【請求項５】
リモコン装置から送られてきたリモコン信号の強度を多段階に検知するレベル検知部を有する請求項１に記載の誘導加熱調理器。
【請求項６】
リモコン装置から受け取った電波の信号強度を多段階で検知し、その信号強度を符号化して応答信号の中に入れて送信する請求項５に記載の誘導加熱調理器。
【請求項７】
リモコン装置は、誘導加熱調理器からの応答信号の中に入れられている符号にて信号強度が十分高いことを検知した場合にはリモコン信号を送信するときの電波放射電力を小さくする請求項６に記載の誘導加熱調理器。
【請求項８】
リモコン装置は、信号強度を表示できる表示部を有し、誘導加熱調理器からの応答信号に含まれている信号強度レベルを示す符号を検知し、前記表示部に表示する請求項５に記載の誘導加熱調理器。
【請求項９】
リモコン装置は、報知部を有し、リモコン信号を送信してからあらかじめ決められた時間内に誘導加熱調理器より応答が返ってこない場合には、報知音を鳴らす請求項１に記載の誘導加熱調理器。
【請求項１０】
誘導加熱調理器は、検知している鍋の温度情報を送信する送信部を有し、リモコン装置は、前記誘導加熱調理器からの温度情報を受信する受信部を有し、前記誘導加熱調理器から送られてくる温度情報を表示部に表示する請求項１に記載の誘導加熱調理器。
【発明の詳細な説明】
【０００１】
【発明の属する技術分野】
本発明は誘導加熱調理器に関するものである。
【０００２】
【従来の技術】
卓上型の誘導加熱調理器は食卓のうえに誘導加熱調理器を他の食材をいれた食器や調味料の容器、食器などと並べて置き、家族で食卓を囲み調理しながら食事ができるため非常に便利なものであるが、テレビやビデオデッキ、あるいはエアコンなどのようにリモコン装置を使って、遠隔操作できるものはなかった。
【０００３】
【特許文献１】
特開平１１−４７５２号公報
【０００４】
【発明が解決しようとする課題】
しかしながら、従来の誘導加熱調理器にたとえ赤外線リモコンを入れたとしても、信号伝達媒体に赤外線を使っているため、見通し範囲内ではリモコン信号を送れるが、リモコンと機器との間に光を遮る障害物があるとリモコン信号が機器側に届かないという課題を有していた。
【０００５】
また、リモコン信号を電波で送るようにした場合、誘導加熱調理器も内部で高周波を使っているため、電波のリモコン信号を受け取るためには内部で発生している高周波と電波のリモコン信号をうまく分離する必要があった。このためにはリモコン装置側で電波の送信出力を上げることが有効であるが、リモコン装置の電源となる電池の消耗が激しくなるという課題があった。
【０００６】
また、誘導加熱調理器の操作表示部に表示される現在温度表示も誘導加熱調理器の周りに食材の入った容器や食器類が置かれていると見にくいものである。この現在温度の表示を誘導加熱調理器から分離されたリモコン側でも確認できれば大変便利であるがそれができる誘導加熱調理器はなかった。
【０００７】
本発明は、前記従来の課題を解決するもので、リモコンと誘導加熱調理器の間に食材をいれた食器や調味料の容器、食器などがあってもリモコンから誘導加熱調理器の温度調節ができ、リモコン側の電池の消耗を最小限に抑えたリモコン装置を提供し、また、誘導加熱調理器の周りに食材の入った容器や食器類が置かれていても、手元のリモコン装置側で鍋の温度を知ることができる誘導加熱調理器を提供することを目的とする。
【０００８】
【課題を解決するための手段】
前記従来の課題を解決するために、本発明の誘導加熱調理器は、電波を用いた信号をリモコン信号として遠隔制御を行うリモコン装置を有し、前記リモコン装置のリモコン信号で設定温度を遠隔制御が可能な誘導加熱調理器であって、前記誘導加熱調理器は、前記リモコン装置からのリモコン信号を受け取ったときに応答信号を発する誘導加熱調理器としたものである。
【０００９】
これによって、食卓上に誘導加熱調理器と食材を入れた食器や調味料の容器、食器などが並べて置かれてあっても、リモコン装置で遠隔操作できるため、誘導加熱調理器まで手を伸ばす必要もなく、また、電波式のリモコンであるため、リモコン信号が食器などに遮られることもなく温度設定をすることができる。
【００１０】
さらにリモコン信号が届くと応答信号が常に返ってくるため、応答信号がなかった場合にはリモコン信号が届かなかったと容易に判断できる。
【００１１】
また、誘導加熱調理器の周りに食材の入った容器や食器類が置かれていても、手元のリモコン装置側で鍋の温度を知ることができる。
【００１２】
【発明の実施の形態】
請求項１に記載の発明は電波を用いた信号をリモコン信号として遠隔制御を行うリモコン装置を有し、前記リモコン装置のリモコン信号で設定温度を遠隔制御が可能な誘導加熱調理器であって、前記誘導加熱調理器は、前記リモコン装置からのリモコン信号を受け取ったときに応答信号を発する誘導加熱調理器とすることにより、食卓上に誘導加熱調理器と食材を入れた食器や調味料の容器、食器などが並べて置かれてあっても、リモコン装置で操作できるため、誘導加熱調理器まで手を伸ばす必要もなく、また、電波式のリモコンであるため、リモコン信号が食器などに遮られることもなく温度設定をすることができる。
【００１３】
請求項２に記載の発明は、特に請求項１記載の誘導加熱調理器を誘導加熱調理器からの応答信号可聴音であるとすることにより、リモコン信号が誘導加熱調理器に届くとすぐに誘導加熱調理器から音が聞こえるため、リモコン信号が誘導加熱調理器に届いたかどうかが容易に確認できる。
【００１４】
請求項３に記載の発明は、特に請求項１記載の誘導加熱調理器を誘導加熱調理器からの応答信号は電波信号であるとすることにより、リモコン信号が誘導加熱調理器に届くとすぐに誘導加熱調理器から電波の応答信号が返るため、周囲にある食器や食材をいれた容器に遮られることがなく、また、人の話し声の影響も受けず、リモコン信号が誘導加熱調理器に伝わったことを確実に検知できる。
【００１５】
請求項４に記載の発明は、特に請求項２または３に記載の誘導加熱調理器を、リモコン装置は、誘導加熱調理器からの応答信号の強度を多段階に検知するレベル検知部を有し、前記応答信号強度が十分高いときにはリモコン信号を送信するときの電波放射電力を小さくすることにより、応答信号の強度が高いときは誘導加熱調理器との距離が近く、送信時の電波送信電力を下げることが可能となり、リモコン装置の電池の消耗を最小限に抑えることができる。
【００１６】
請求項５に記載の発明は、特に請求項１に記載の誘導加熱調理器をリモコン装置から送られてきたリモコン信号の強度を多段階に検知するレベル検知部を有するとすることにより、リモコン装置からのリモコン信号の強さが判かり、誘導加熱調理器とリモコン装置との距離や、リモコン装置の電池の消耗度合いを判別することができる。
【００１７】
請求項６に記載の発明は、特に請求項５記載の誘導加熱調理器を誘導加熱調理器がリモコン装置から受け取った電波の信号強度を多段階で検知し、その信号強度を符号化して応答信号の中に入れて送信するとすることにより、リモコン信号が十分届く距離に誘導加熱調理器があるかどうかをリモコン装置に通知することができる。
【００１８】
請求項７に記載の発明は、特に請求項６に記載の誘導加熱調理器に、リモコン装置は、誘導加熱調理器からの応答信号の中に入れられている符号にて信号強度が十分高いことを検知した場合にはリモコン信号を送信するときの電波放射電力を小さくするとすることにより、応答信号の強度が高いときは誘導加熱調理器との距離が近く、送信時の電波送信電力を下げることが可能と判断でき、リモコン信号が十分届く距離に誘導加熱調理器があるときはリモコン信号の電波放射出力を下げ、リモコン装置の電池の消耗を必要最小限に抑えることができる。
【００１９】
請求項８に記載の発明は、特に請求項５記載の誘導加熱調理器に、リモコン装置は、信号強度を表示できる表示部を有し、誘導加熱調理器からの応答信号に含まれている信号強度レベルを示す符号を検知し前記表示部に表示するとすることにより、使用者はリモコン装置からのリモコン信号がどの程度の強度で誘導加熱調理器に伝わっているかを知ることができ、信号強度が弱い時には、リモコン信号を送る場所をより強く伝わるところに移動したり、または、リモコン装置の電池を新しいものに交換することができる。
【００２０】
請求項９に記載の発明は、特に請求項１に記載の誘導加熱調理器に、リモコン装置は、報知部を有し、リモコン信号を送信してからあらかじめ決められた時間内に誘導加熱調理器より応答が返ってこない場合には、報知音を鳴らすとすることにより、リモコン信号が誘導加熱調理器に正しく伝わらなかったことを検知でき、使用者はリモコン信号が誘導加熱調理器に伝わったかどうかを瞬時に知ることができる。
【００２１】
請求項１０に記載の発明は、特に請求項１に記載の誘導加熱調理器に、誘導加熱調理器は、検知している鍋の温度情報を送信する送信部を有し、リモコン装置は、前記誘導加熱調理器からの温度情報を受信する受信部を有し、前記誘導加熱調理器から送られてくる温度情報を表示部に表示するとすることにより、誘導加熱調理器の周りに食材の入った容器や食器類が置かれていても、手元のリモコン装置側で鍋の温度を知ることができる。
【００２２】
【実施例】
以下本発明の実施例について、図面を参照しながら説明する。
【００２３】
図１は本発明の一実施例を示す誘導加熱調理器のブロック構成図である。
【００２４】
図１において１は誘導加熱調理器、２はリモコン装置である。まず、誘導加熱調理器１の内部構成について説明する。３は電波のリモコン信号の受信部である。４は、受信している電波のリモコン信号の強度を強中弱の３段階に分類して検知するレベル検知部である。５は誘導加熱調理器１の加熱制御や送受信の制御を行う制御部である。６は送信部であり、リモコン装置２から送られてきたリモコン信号を正しく受信できた場合にレベル検知部４で検知した信号強度を表す符号が乗った応答信号や加熱中の鍋の温度情報を電波で送信する。
【００２５】
リモコン装置２から送られてきたリモコン信号を解読し認識したり、正しく受信できた場合に応答信号を送信する制御をするのは制御部５が行っている。また、鍋の温度も温度センサ９ａで検知し現在温度として加熱中の鍋の温度情報を送る処理も制御部５が行っている。７は操作部であり使用者が誘導加熱調理器の電源を入り切りするための電源スイッチや温度設定をするためのアップ、ダウンのスイッチがついている。８は表示部であり、使用者に調理中の鍋の現在温度を知らせるためのものであり、複数のＬＥＤを用いて現在温度を多段階で表示する。９は、加熱部であり鍋を誘導加熱するための加熱コイルなどから構成されている。９ａは鍋の温度を鍋底から検知する温度センサである。１０はアンテナであり、電波信号を効率よく受信したり、効率よく送信できるように長さや形状の設計がなされている。
【００２６】
次にリモコン装置２において１１は電波のリモコン信号の送信部であり、１２は電波の受信部である。１２は電波リモコン信号の受信部である。１３は制御部であり、１４は誘導加熱調理器１から送られてくる温度情報などを表示する表示部、１５は温度設定などをする操作部である。１６はタイマー部である。使用者がリモコン装置２の操作部１５を操作して温度設定した場合に制御部１３は送信部１１から誘導加熱調理器１宛に温度設定をするためのコマンドを載せた電文を電波信号にして送信する。このとき制御部１３はタイマー部１６をスタートさせ、誘導加熱調理器１から温度設定をするためのコマンドを受け取ったという応答電文が電波信号で帰ってくるのを待つ。タイマー部１６はこの応答信号が帰って来るまでの時間を監視するためのものである。コマンドを載せた電文を送信後、一定時間が経過しても誘導加熱調理器本体１から応答信号が返らない場合は、リモコン装置２は同じコマンドを載せた電文を再度送信する。１７は電池部であり、リモコン装置内の回路の電源を供給する。１８は電波を送受信するためのアンテナである。１９は、受信している誘導加熱調理器本体１からの電波の応答信号の強度を強中弱の３段階に分類して検知するレベル検知部である。
【００２７】
また、リモコン装置から送られてきたリモコン信号の強度を多段階に検知するレベル検知部４により、制御部５はリモコン装置２からのリモコン信号の強さが判かり、誘導加熱調理器本体１とリモコン装置２との距離や、リモコン装置２の電池１７の消耗度合いを判別することができる。
【００２８】
また、誘導加熱調理器本体１が判別したリモコン装置２から受信した電波の信号強度レベルを符号化して応答信号の中に入れて送信しており、リモコン装置２はリモコン信号が十分届く距離に誘導加熱調理器本体１があるかどうかを判別することができる。
【００２９】
図示はしていないが本発明の誘導加熱調理器では電波信号として３２０ＭＨｚの搬送波を使い、これを周波数変調して２４００ビット／秒の伝送速度のコマンドや応答情報を持ったデジタルデータを送受信している。電波の周波数が３２０ＭＨｚであるため、送受信のためのアンテナ１０およびアンテナ１８は小型のもので良く、本体１およびリモコン装置２のケース内部に収納できている。
【００３０】
図２は本発明の一実施例の誘導加熱調理器の使用状態を示す説明図である。図２において２０は誘導加熱調理器本体１の上に載せている鍋である。２１は調味料が入っている容器、２２は食材が入っている容器である。このように卓上型の誘導加熱調理器はテーブル上で調理を始めると誘導加熱調理器の回りにさまざまな容器が置かれ、誘導加熱調理器の操作部の操作スイッチに触れたくてもさまざまな容器が邪魔になりすぐには触れられない。
【００３１】
また、誘導加熱調理器の表示を見たくてもさまざまな容器が邪魔になり表示が見られないといったことがあるが、図２に示すようにリモコン装置を用いると誘導加熱調理器まで手を伸ばす必要もなく、また、電波式であるため、リモコン信号が食器などに遮られることもなく温度設定などをすることができ、同様に応答確認も周囲にある食器や食材をいれた容器に遮られることがなく、また、人の話し声の影響も受けずにできる。
【００３２】
電波信号が双方向で通信できるため、誘導加熱調理器の周りに食材の入った容器や食器類が置かれていて誘導加熱調理器の表示部に表示されている内容が見えなくても、手元のリモコン装置側で鍋の温度を知ることができる。
【００３３】
また、誘導加熱調理器からの応答信号を可聴音にすれば、リモコン信号が誘導加熱調理器に届くとすぐに誘導加熱調理器から音が聞こえるため、リモコン信号が誘導加熱調理器に届いたかどうかを容易に確認できる。
【００３４】
また、誘導加熱調理器からの応答信号の強度を誘導加熱調理器本体と同じようにレベル検知部で検知し、強度が十分高いときにはリモコン信号を送信するときの電波放射電力を小さくするような誘導加熱調理器とすることにより、応答信号の強度が高いときは誘導加熱調理器との距離が近いと判断し、送信時の電波送信電力を下げることが可能となり、リモコン装置の電池の消耗を最小限に抑えることができる。
【００３５】
また、誘導加熱調理器からの応答信号の中に入れられている符号にて信号強度が十分高いことを検知した場合にはリモコン信号を送信するときの電波放射電力を小さくする誘導加熱調理器とすることにより、応答信号の強度が高いときは誘導加熱調理器との距離が近く、送信時の電波送信電力を下げることが可能と判断でき、リモコン信号が十分届く距離に誘導加熱調理器があるときはリモコン信号の電波放射出力を下げ、リモコン装置の電池の消耗を必要最小限に抑えることができる。
【００３６】
また、リモコン装置に信号強度を表示できる表示部を配置すれば、誘導加熱調理器からの応答信号に含まれている信号強度レベルを示す符号を検知し前記表示部に表示することができ、使用者はリモコン装置からのリモコン信号がどの程度の強度で誘導加熱調理器に伝わっているかを知ることができ、信号強度が弱い時には、リモコン信号を送る場所をより強く伝わるところに移動したり、または、リモコン装置の電池を新しいものに交換することができる。
【００３７】
また、リモコン装置に報知部を配置すれば、リモコン信号を送信してからあらかじめ決められた時間内に誘導加熱調理器より応答が返ってこない場合には、報知音を鳴らすことができ、使用者にリモコン信号が誘導加熱調理器に伝わったかどうかを瞬時に知らせることができる。
【００３８】
【発明の効果】
以上のように、請求項１から１０のいずれか一項記載の発明によれば、リモコンと誘導加熱調理器の間に食材をいれた食器や調味料の容器、食器などがあってもリモコンから誘導加熱調理器の温度調節ができ、リモコン側の電池の消耗を最小限に抑えることができる。
【図面の簡単な説明】
【図１】本発明の一実施例における誘導加熱調理器のブロック構成図
【図２】本発明の一実施例における誘導加熱調理器の動作説明図
【符号の説明】
１  誘導加熱調理器本体
２  リモコン装置
３、１２  受信部
４  レベル検知部
５、１３  制御部
６、１１  送信部
７、１５  操作部
８、１４  表示部
９  加熱部
１０、１８  アンテナ
２０  鍋
【図１】
2004165081.tif 000003
【図２】
2004165081.tif 000004